(57)【要約】【課題】給送方向における長さが長い原稿を適切に保持できるとともに、装置サイズの小型化を図ることができる画像読取装置を提供する。【解決手段】画像読取装置は、原稿を読み取る読み取り手段と、開閉可能であり、閉じた状態で第１面が装置上面を形成し、開いた状態で第１面とは反対側の第２面が読み取り手段に送られる原稿を支持するカバー部と、カバー部とともに開閉可能であり、カバー部の第２面側に配置され、カバー部が閉じた状態において第２面に沿った状態で収納される収納位置と、カバー部が開いた状態において収納位置からカバー部に対して原稿の給送方向上流側へ引き出された引き出し位置との間を変位可能であり、カバー部が開いた状態においてカバー部に支持された原稿の少なくとも一部を支持する原稿支持トレイとを備える。【選択図】図４
2019001629.tif 000002
【特許請求の範囲】
【請求項１】
原稿を読み取る読み取り手段と、
開閉可能であり、閉じた状態で第１面が装置上面を形成し、開いた状態で前記第１面とは反対側の第２面が前記読み取り手段に送られる原稿を支持するカバー部と、
前記カバー部とともに開閉可能であり、前記カバー部の前記第２面側に配置され、前記カバー部が閉じた状態において前記第２面に沿った状態で収納される収納位置と、前記カバー部が開いた状態において前記収納位置から前記カバー部に対して前記原稿の給送方向上流側へ引き出された引き出し位置との間を変位可能であり、前記カバー部が開いた状態において前記カバー部に支持された原稿の少なくとも一部を支持する原稿支持トレイと、を備える、
ことを特徴とする画像読取装置。
【請求項２】
請求項１に記載の画像読取装置において、前記カバー部及び前記原稿支持トレイが開いた状態において前記原稿支持トレイが前記引き出し位置に引き出されると、前記原稿支持トレイは、前記読み取り手段によって読み取りが行われて排出される原稿の排出経路の少なくとも一部に対して装置高さ方向上方に位置して、前記排出経路の少なくとも一部を覆う、
ことを特徴とする画像読取装置。
【請求項３】
請求項１または請求項２に記載の画像読取装置において、開いた状態の前記カバー部に対し前記原稿の給送方向下流側に位置し、給送前の原稿を前記カバー部とともに支持する原稿サポート部を備え、
前記カバー部が閉じた状態において前記原稿支持トレイは前記原稿サポート部に支持される、
ことを特徴とする画像読取装置。
【請求項４】
請求項３に記載の画像読取装置において、前記カバー部には、前記カバー部が閉じた状態において前記原稿支持トレイを支持する第１支持部が設けられ、
前記原稿サポート部には前記原稿支持トレイを支持する第２支持部が設けられ、
装置高さ方向において前記第１支持部の少なくとも一部と前記第２支持部の少なくとも一部とがオーバーラップしている、
ことを特徴とする画像読取装置。
【請求項５】
請求項１から請求項４のいずれか一項に記載の画像読取装置において、前記カバー部の前記原稿の給送方向と交差する方向である原稿幅方向における両端部及び前記原稿支持トレイの前記原稿幅方向における両端部のいずれか一方には、前記原稿支持トレイの変位方向に沿ってガイド部が延設され、他方には前記ガイド部と係合して前記ガイド部によりガイドされる被ガイド部が設けられる、
ことを特徴とする画像読取装置。
【請求項６】
請求項１から請求項５のいずれか一項に記載の画像読取装置において、前記原稿支持トレイの前記原稿の給送方向下流側の端部には、前記原稿の給送方向上流側から下流側に向かって前記原稿支持トレイの厚みを薄くするテーパーが形成されている、
ことを特徴とする画像読取装置。
【請求項７】
請求項１から請求項６のいずれか一項に記載の画像読取装置において、前記原稿支持トレイは透明、あるいは半透明の部材として形成されている、
ことを特徴とする画像読取装置。
【請求項８】
原稿を読み取る読み取り手段と、
開閉可能であり、閉じた状態で第１面が装置上面を形成し、開いた状態で前記第１面とは反対側の第２面が装置高さ方向上方側に向くカバー部と、
前記カバー部とともに開閉可能であり、前記カバー部の前記第２面側に配置され、前記カバー部が閉じることで前記カバー部の下側に位置する収納状態と、前記カバー部が開くことで前記読み取り手段に送られる原稿を支持し得る原稿支持状態とを切り換え可能な原稿支持トレイと、を備え、
前記カバー部は、前記開いた状態において、第１位置と、前記第１位置から前記原稿支持トレイに対して前記原稿の給送方向上流側へ引き出された第２位置との間を変位可能である、
ことを特徴とする画像読取装置。
【請求項９】
請求項８に記載の画像読取装置において、前記カバー部及び前記原稿支持トレイが開いた状態において前記カバー部が前記第２位置に引き出されると、前記カバー部は、前記読み取り手段によって読み取りが行われて排出される原稿の排出経路の少なくとも一部に対して装置高さ方向上方に位置して、前記排出経路の少なくとも一部を覆う、
ことを特徴とする画像読取装置。
【請求項１０】
請求項８または請求項９に記載の画像読取装置において、前記原稿支持トレイには回動軸が設けられ、当該回動軸を支点として前記カバー部及び前記原稿支持トレイが回動する、
ことを特徴とする画像読取装置。
【請求項１１】
請求項１０に記載の画像読取装置において、前記原稿支持トレイにおける前記原稿の給送方向と交差する方向である原稿幅方向の両端部に位置規定部が設けられ、
前記カバー部は、
前記原稿幅方向における両端部周辺領域に形成され、前記原稿の給送方向に沿って延びる被ガイド部と、
前記位置規定部と当接することにより、前記カバー部の前記第２位置を規定する被位置規定部と、を備え、
前記カバー部を前記原稿支持トレイに対して前記第１位置から前記第２位置に変位させると、前記被ガイド部が前記回動軸に当接するとともに、前記位置規定部に前記被位置規定部が当接する、
ことを特徴とする画像読取装置。
【請求項１２】
請求項８から請求項１１のいずれか一項に記載の画像読取装置において、前記原稿支持トレイが回動可能に取り付けられたベースフレームを備え、
前記ベースフレームには角度規定部が設けられ、
前記カバー部には、被角度規定部が設けられ、
前記角度規定部は、前記カバー部が前記開いた状態において、前記カバー部の前記第１位置から前記第２位置までの範囲で前記被角度規定部と当接可能に構成され、前記カバー部の姿勢を規定する、
ことを特徴とする画像読取装置。
【請求項１３】
請求項１から請求項１２のいずれか一項に記載の画像読取装置において、開閉可能であり、閉じた状態で前記カバー部とともに前記装置上面の一部を形成し、開いた状態で前記読み取り手段によって読み取りが行われて排出される原稿を受ける排出トレイを備え、
前記カバー部及び前記排出トレイが閉じた状態において前記原稿支持トレイは前記排出トレイを支持している、
ことを特徴とする画像読取装置。
【請求項１４】
請求項１３に記載の画像読取装置において、前記閉じた状態の前記原稿支持トレイにおいて前記排出トレイ側の端部には、前記排出トレイ側に向けて突出する突出部が設けられ、
前記カバー部及び前記排出トレイが閉じた状態において前記突出部は、前記装置上面に沿った平面方向において前記排出トレイの少なくとも一部とオーバーラップしている、
ことを特徴とする画像読取装置。
【請求項１５】
請求項１から請求項１４のいずれか一項に記載の画像読取装置において、前記カバー部及び前記原稿支持トレイは回動可能であり、前記カバー部の前記第２面あるいは前記原稿支持トレイにおいて前記第２面と対向する面のいずれか一方の面には、他方の面に向けて突出して前記カバー部と前記原稿支持トレイとの間に摩擦力を生じさせる摩擦力付与部が設けられている、
ことを特徴とする画像読取装置。
【請求項１６】
請求項１から請求項１５のいずれか一項に記載の画像読取装置において、前記原稿の給送方向と交差する方向である原稿幅方向における前記原稿支持トレイの長さは前記カバー部の長さより短い、
ことを特徴とする画像読取装置。
【請求項１７】
請求項１に記載の画像読取装置において、
給送前の原稿を支持する原稿サポート部と、
前記原稿サポート部に支持された原稿を前記読み取り手段に向けて送り出す給送手段と、
を備え、
前記装置上面は、
前記カバー部が閉じた状態における前記カバー部の前記第１面と、
前記装置上面の外縁を形成するベースフレームと、
前記読み取り手段によって読み取りが行われて排出される原稿を受ける排出トレイと、
前記原稿サポート部より原稿の給送方向下流側に位置し、原稿搬送路の少なくとも一部を開閉する開閉体と、の少なくともこれらにより平坦な面として形成される、
ことを特徴とする画像読取装置。
【発明の詳細な説明】
【技術分野】
【０００１】
本発明は、媒体の面を読み取る画像読取装置に関する。
【背景技術】
【０００２】
画像読取装置の一例であるスキャナーには、原稿自動送り装置（ＡＤＦ（Ａｕｔｏ  Ｄｏｃｕｍｅｎｔ  Ｆｅｅｄｅｒ）とも呼ばれる）が設けられ、複数枚の原稿の自動送りと読み込みとを行える様に構成されたものがある。原稿自動送り装置の構成として、原稿を支持する原稿サポート部から原稿を送り出し、Ｕ字反転させた後に原稿を読み取り位置に搬送し、そして排出トレイに向けて排出する構成が採られたものがある。  
特許文献１には、その様な原稿自動送り装置を備えたスキャナーの一例が記載されている。
【先行技術文献】
【特許文献】
【０００３】
【特許文献１】特開２０１６−７１１２１号公報
【発明の概要】
【発明が解決しようとする課題】
【０００４】
特許文献１の構成では、ＡＤＦユニット６の上面が中央カバー２６、左カバー２７及び右カバー２８で構成され、各カバーはＡＤＦユニット６に対して回動可能に取り付けられている。ここで、中央カバー２６を閉位置から開位置へと回動させると、中央カバー２６はＡＤＦユニット６に対して傾斜した姿勢を取り、搬送部２０へ供給されるシートを支持可能となり、シート支持部として機能する。
【０００５】
特許文献１の構成では、中央カバー２６がシート支持部として機能するので、中央カバー２６のシート給送方向の長さにより、中央カバー２６に支持可能なシートのサイズが決まってしまう。製品サイズを小さくすべく、中央カバー２６の給送方向長さを短くすると、中央カバー２６で適切に支持できるシートのサイズが小さくなる。このサイズを超えたシートを中央カバー２６にセットすると、シートの後端側が中央カバー２６からはみ出し、シート後端側が中央カバー２６から垂れ下がり、垂れ癖が付く虞がある。
【０００６】
一方、中央カバー２６で適切に支持できるシートのサイズを大きくするには、中央カバー２６のシート給送方向の長さを長くする必要があり、中央カバー２６の給送方向における長さを長くすると製品サイズが大きくなる。
【０００７】
そこで本発明はこの様な状況に鑑みなされたものであり、給送方向における長さが長い原稿を適切に保持できるとともに、装置サイズの小型化を図ることができる画像読取装置を提供することにある。
【課題を解決するための手段】
【０００８】
上記課題を解決する為の、本発明の第１の態様に係る画像読取装置は、原稿を読み取る読み取り手段と、開閉可能であり、閉じた状態で第１面が装置上面を形成し、開いた状態で前記第１面とは反対側の第２面が前記読み取り手段に送られる原稿を支持するカバー部と、前記カバー部とともに開閉可能であり、前記カバー部の前記第２面側に配置され、前記カバー部が閉じた状態において前記第２面に沿った状態で収納される収納位置と、前記カバー部が開いた状態において前記収納位置から前記カバー部に対して前記原稿の給送方向上流側へ引き出された引き出し位置との間を変位可能であり、前記カバー部が開いた状態において前記カバー部に支持された原稿の少なくとも一部を支持する原稿支持トレイとを備えることを特徴とする。
【０００９】
本態様によれば、前記原稿支持トレイは、前記カバー部が閉じた状態において前記第２面に沿った状態で収納される収納位置と、前記カバー部が開いた状態において前記収納位置から前記カバー部に対して前記原稿の給送方向上流側へ引き出された引き出し位置との間を変位可能であり、前記原稿支持トレイを前記引き出し位置に位置させることで、前記原稿の給送方向において原稿等を支持する領域を拡張することができ、前記給送方向における長さが長い原稿を適切に支持することができる。  
しかも、前記原稿支持トレイは、前記カバー部が閉じた状態において前記第２面に沿った状態で収納されるので装置をコンパクトにすることができ、装置サイズの小型化を図ることができる。
【００１０】
また、前記閉じた状態において前記カバー部が押圧された際、前記カバー部のみで押圧力に対抗する場合に比べて、本態様では、前記カバー部とともに前記原稿支持トレイも前記押圧力に対抗するので、前記カバー部の変形を低減でき、前記カバー部の剛性感を得ることができる。
【００１１】
本発明の第２の態様は、前記カバー部及び前記原稿支持トレイが開いた状態において前記原稿支持トレイが前記引き出し位置に引き出されると、前記原稿支持トレイは、前記読み取り手段によって読み取りが行われて排出される原稿の排出経路の少なくとも一部に対して装置高さ方向上方に位置して、前記排出経路の少なくとも一部を覆うことを特徴とする。
【００１２】
本態様によれば、前記カバー部及び前記原稿支持トレイが開いた状態において前記原稿支持トレイが前記引き出し位置に引き出されると、前記原稿支持トレイは前記読み取り手段によって読み取りが行われて排出される原稿の排出経路の少なくとも一部に対して装置高さ方向上方に位置して、前記排出経路の少なくとも一部を覆うので、前記排出経路の少なくとも一部及び前記排出経路において排出された原稿に埃等が堆積することを抑制できる。
【００１３】
本発明の第３の態様は、第１または第２の態様において、開いた状態の前記カバー部に対し前記原稿の給送方向下流側に位置し、給送前の原稿を前記カバー部とともに支持する原稿サポート部を備え、前記カバー部が閉じた状態において前記原稿支持トレイは前記原稿サポート部に支持されることを特徴とする。  
本態様によれば、前記カバー部が閉じた状態において前記原稿支持トレイは前記原稿サポート部に支持される。つまり、閉じた状態における前記カバー部が前記原稿支持トレイを介して前記原稿サポート部に支持されるので、前記カバー部が押圧された際における前記カバー部の変形をより確実に低減することができ、前記カバー部の剛性感をより一層得ることができる。
【００１４】
本発明の第４の態様は、第３の態様において、前記カバー部には、前記カバー部が閉じた状態において前記原稿支持トレイを支持する第１支持部が設けられ、前記原稿サポート部には前記原稿支持トレイを支持する第２支持部が設けられ、装置高さ方向において前記第１支持部の少なくとも一部と前記第２支持部の少なくとも一部とがオーバーラップしていることを特徴とする。
【００１５】
本態様によれば、原稿支持トレイを支持する第１支持部の少なくとも一部と、第２支持部の少なくとも一部とを装置高さ方向においてオーバーラップさせているので、装置高さ方向における装置サイズを抑制することができる。
【００１６】
本発明の第５の態様は、第１から第４の態様のいずれか一の態様において、前記カバー部の前記原稿の給送方向と交差する方向である原稿幅方向における両端部及び前記原稿支持トレイの前記原稿幅方向における両端部のいずれか一方には、前記原稿支持トレイの変位方向に沿ってガイド部が延設され、他方には前記ガイド部と係合して前記ガイド部によりガイドされる被ガイド部が設けられることを特徴とする。
【００１７】
本態様によれば、前記被ガイド部は前記ガイド部と係合して前記ガイド部にガイドされる前記原稿支持トレイの前記カバー部に対する変位を円滑にできるともに、前記原稿支持トレイが変位する際、前記原稿支持トレイが前記カバー部から脱落することを抑制できる。
【００１８】
本発明の第６の態様は、第１から第５の態様のいずれか一の態様において、前記原稿支持トレイの前記原稿の給送方向下流側の端部には、前記原稿の給送方向上流側から下流側に向かって前記原稿支持トレイの厚みを薄くするテーパーが形成されていることを特徴とする。  
本態様によれば、前記原稿支持トレイの前記原稿の給送方向下流側の端部には、前記原稿の給送方向上流側から下流側に向かって前記原稿支持トレイの厚みを薄くするテーパーが形成されているので、前記給送方向下流側端部がエッジである場合に比べて、前記原稿支持トレイに支持された原稿を給送方向下流側に移動させる際、原稿の搬送負荷を低減、あるいは抑制でき、原稿の搬送性が向上する。
【００１９】
本発明の第７の態様は、第１から第６の態様のいずれか一の態様において、前記原稿支持トレイは透明、あるいは半透明の部材として形成されていることを特徴とする。  
本態様によれば、前記原稿支持トレイは透明、あるいは半透明の部材として形成されているので、前記原稿支持トレイが前記引き出し位置にあり、前記排出経路の一部を覆っている状態でも、前記排出経路に排出された原稿を目視することができ、原稿の取り忘れを低減、あるいは防止できる。
【００２０】
本発明の第８の態様における画像読取装置は、原稿を読み取る読み取り手段と、開閉可能であり、閉じた状態で第１面が装置上面を形成し、開いた状態で前記第１面とは反対側の第２面が装置高さ方向上方側に向くカバー部と、前記カバー部とともに開閉可能であり、前記カバー部の前記第２面側に配置され、前記カバー部が閉じることで前記カバー部の下側に位置する収納状態と、前記カバー部が開くことで前記読み取り手段に送られる原稿を支持し得る原稿支持状態とを切り換え可能な原稿支持トレイと、を備え、前記カバー部は、前記開いた状態において、第１位置と、前記第１位置から前記原稿支持トレイに対して前記原稿の給送方向上流側へ引き出された第２位置との間を変位可能であることを特徴とする。
【００２１】
本態様によれば、前記カバー部は、前記開いた状態において、第１位置と、前記第１位置から前記原稿支持トレイに対して前記原稿の給送方向上流側へ引き出された第２位置との間を変位可能であるので、前記カバー部を前記第１位置から前記第２位置に引き出すことで、前記原稿の給送方向において原稿等を支持する領域を拡張することができ、前記給送方向における長さが長い原稿を適切に支持することができる。  
しかも、前記原稿支持トレイは前記カバー部が閉じることで前記カバー部の下側に位置する収納状態を取りうるので、装置をコンパクトにすることができ、装置サイズの小型化を図ることができる。
【００２２】
また、前記閉じた状態において前記カバー部が押圧された際、前記カバー部のみで押圧力に対抗する場合に比べて、本態様では、前記カバー部とともに前記原稿支持トレイも前記押圧力に対抗するので、前記カバー部の変形を低減でき、前記カバー部の剛性感を得ることができる。
【００２３】
本発明の第９の態様は、第８の態様において、前記カバー部及び前記原稿支持トレイが開いた状態において前記カバー部が前記第２位置に引き出されると、前記カバー部は、前記読み取り手段によって読み取りが行われて排出される原稿の排出経路の少なくとも一部に対して装置高さ方向上方に位置して、前記排出経路の少なくとも一部を覆うことを特徴とする。
【００２４】
本態様によれば、前記カバー部及び前記原稿支持トレイが開いた状態において前記カバー部が前記第２位置に位置すると、前記カバー部は前記読み取り手段によって読み取りが行われて排出される原稿の排出経路の少なくとも一部に対して装置高さ方向上方に位置して、前記排出経路の少なくとも一部を覆うので、前記排出経路の少なくとも一部及び前記排出経路において排出された原稿に埃等が堆積することを抑制できる。
【００２５】
本発明の第１０の態様は、第８または第９の態様において、前記原稿支持トレイには回動軸が設けられ、当該回動軸を支点として前記カバー部及び前記原稿支持トレイが回動することを特徴とする。
【００２６】
本態様によれば、前記原稿支持トレイには回動軸が設けられ、当該回動軸を支点として前記カバー部及び前記原稿支持トレイが回動する構成であるので、前記カバー部は前記原稿支持トレイの回動軸に支持されることとなる。前記カバー部及び前記原稿支持トレイが閉じた状態において、前記カバー部及び前記原稿支持トレイは前記回動軸に支持されるので、閉じた状態の前記カバー部が押圧された際における前記カバー部の変形をより確実に低減することができ、前記カバー部の剛性感をより一層得ることができる。
【００２７】
本発明の第１１の態様は、第１０の態様において、前記原稿支持トレイにおける前記原稿の給送方向と交差する方向である原稿幅方向の両端部に位置規定部が設けられ、前記カバー部は、前記原稿幅方向における両端部周辺領域に形成され、前記原稿の給送方向に沿って延びる被ガイド部と、前記位置規定部と当接することにより、前記カバー部の前記第２位置を規定する被位置規定部と、を備え、前記カバー部を前記原稿支持トレイに対して前記第１位置から前記第２位置に変位させると、前記被ガイド部が前記回動軸に当接するとともに、前記位置規定部に前記被位置規定部が当接することを特徴とする。
【００２８】
本態様によれば、前記カバー部を前記原稿支持トレイに対して第１位置から第２位置に変位させると、前記被ガイド部が前記回動軸に当接するとともに、前記位置規定部に前記被位置規定部が当接するので、前記カバー部を前記原稿支持トレイに対して変位させる際に前記回動軸に掛かる荷重の一部を前記位置規定部に担わせることができ、前記回動軸に掛かる荷重を分散させることができる。これにより前記回動軸の損傷を低減、あるいは防止できる。
【００２９】
本発明の第１２の態様は、第８から第１１の態様のいずれか一の態様において、前記原稿支持トレイが回動可能に取り付けられたベースフレームを備え、前記ベースフレームには角度規定部が設けられ、前記カバー部には、被角度規定部が設けられ、前記角度規定部は、前記カバー部が前記開いた状態において、前記カバー部の前記第１位置から前記第２位置までの範囲で前記被角度規定部と当接可能に構成され、前記カバー部の姿勢を規定することを特徴とする。
【００３０】
本態様によれば、前記角度規定部は、前記カバー部が前記開いた状態において、前記カバー部の前記第１位置から前記第２位置までの範囲で前記被角度規定部と当接可能に構成され、前記カバー部の姿勢を規定するので、前記第１位置から前記第２位置までの間において前記カバー部の姿勢を規定することができ、原稿を適切な姿勢で支持することができる。
【００３１】
本発明の第１３の態様は、第１から第１２の態様のいずれか一の態様において、開閉可能であり、閉じた状態で前記カバー部とともに前記装置上面の一部を形成し、開いた状態で前記読み取り手段によって読み取りが行われて排出される原稿を受ける排出トレイを備え、前記カバー部及び前記排出トレイが閉じた状態において前記原稿支持トレイは前記排出トレイを支持していることを特徴とする。
【００３２】
本態様によれば、前記カバー部及び前記排出トレイが閉じた状態において前記原稿支持トレイは前記排出トレイを支持しているので、閉じた状態の前記排出トレイが押圧された際、前記排出トレイとともに前記原稿支持トレイが前記排出トレイを押圧する力に対抗することができ、前記排出トレイの変形を抑制、あるいは低減でき、前記排出トレイの剛性感を得ることができる。
【００３３】
本発明の第１４の態様は、第１３の態様において、前記閉じた状態の前記原稿支持トレイにおいて前記排出トレイ側の端部には、前記排出トレイ側に向けて突出する突出部が設けられ、前記カバー部及び前記排出トレイが閉じた状態において前記突出部は、前記装置上面に沿った平面方向において前記排出トレイの少なくとも一部とオーバーラップしていることを特徴とする。
【００３４】
ここで、閉じた状態の前記カバー部と前記排出トレイとの繋ぎ目が押圧された場合、前記カバー部と前記排出トレイの両方が押圧する力により変形することがある。本態様によれば、前記閉じた状態の前記原稿支持トレイにおいて前記排出トレイ側の端部には、前記排出トレイ側に向けて突出する突出部が設けられ、前記カバー部及び前記排出トレイが閉じた状態において前記突出部は、前記装置上面に沿った平面方向において前記排出トレイの少なくとも一部とオーバーラップしている。これにより、前記原稿支持トレイは前記カバー部を支持するだけでなく、前記突出部が、前記カバー部と前記排出トレイとの繋ぎ目を支持することができる。これにより、閉じた状態の前記カバー部と前記排出トレイとの繋ぎ目の変形を抑制、あるいは低減できる。さらに、カバー部及び排出トレイの剛性を簡素な構成で高めることができる。
【００３５】
本発明の第１５の態様は、第１から第１４の態様のいずれか一の態様において、前記カバー部及び前記原稿支持トレイは回動可能であり、前記カバー部の前記第２面あるいは前記原稿支持トレイにおいて前記第２面と対向する面のいずれか一方の面には、前記カバー部と前記原稿支持トレイとの間に摩擦力を生じさせる摩擦力付与部が設けられていることを特徴とする。
【００３６】
本態様によれば、前記突起は前記カバー部と前記原稿支持トレイとの間に摩擦力を生じさせるので、前記カバー部及び前記原稿支持トレイが前記閉じた状態から前記開いた状態への回動時において前記原稿支持トレイが前記収納位置から飛び出すことを抑制できる。さらに、前記カバー部及び前記原稿支持トレイが前記開いた状態において前記原稿支持トレイが前記引き出し位置に位置する際、前記突起は前記引き出し位置から前記収納位置への変位を抑制できるので、前記原稿支持トレイが引き出された状態を維持することができ、前記カバー部に対する前記原稿支持トレイを適切な状態とすることができる。
【００３７】
本発明の第１６の態様は、第１から第１５の態様のいずれか一の態様において、前記原稿の給送方向と交差する方向である原稿幅方向における前記原稿支持トレイの長さは前記カバー部の長さより短いことを特徴とする。
【００３８】
本態様によれば、前記原稿の給送方向と交差する方向である原稿幅方向における前記原稿支持トレイの長さは前記カバー部の長さより短いので、前記原稿支持トレイを収納する前記カバー部の前記原稿幅方向におけるサイズの大型化を抑制でき、ひいては、装置をコンパクトにすることができる。加えて、前記カバー部が閉じた状態において前記原稿支持トレイは、前記カバー部に収納されているので、装置外部から収納状態の原稿支持トレイが見えないことから、装置の美観が向上する。
【００３９】
本発明の第１７の態様は、第１の態様において、給送前の原稿を支持する原稿サポート部と、前記原稿サポート部に支持された原稿を前記読み取り手段に向けて送り出す給送手段と、を備え、前記装置上面は、前記カバー部が閉じた状態における前記カバー部の前記第１面と、前記装置上面の外縁を形成するベースフレームと、前記読み取り手段によって読み取りが行われて排出される原稿を受ける排出トレイと、前記原稿サポート部より原稿の給送方向下流側に位置し、原稿搬送路の少なくとも一部を開閉する開閉体と、の少なくともこれらにより平坦な面として形成されることを特徴とする。
【００４０】
本態様によれば、前記カバー部と、前記ベースフレームと、前記排出トレイと、前記開閉体とが、平坦な装置上面を形成するので、美観に優れるとともに装置上面に原稿等を載置した際の安定性が向上する。  
尚、「平坦な装置上面」とは、厳密な意味で平坦であることを意味するものではなく、多少の凹凸を含んでいても装置上面が全体的に平坦状であり、装置上面に媒体を載置しても容易に滑り落ちない程度の平坦状が確保されていることを意味するものである。
【図面の簡単な説明】
【００４１】
【図１】本発明に係るプリンターのスキャナーの非給送状態の外観斜視図。
【図２】本発明に係るプリンターのスキャナーの給送可能状態の外観斜視図。
【図３】本発明に係るスキャナーの非給送状態における原稿搬送路を示す側断面図。
【図４】本発明に係るスキャナーの給送可能状態における原稿搬送路を示す側断面図。
【図５】カバー部及び排出トレイの回動軌跡を説明する側断面図。
【図６】ＡＤＦ部において開閉体を開いた姿勢とした状態の側断面図。
【図７】本発明に係る原稿支持トレイがカバー部に収納された状態を示す斜視図。
【図８】本発明に係る原稿支持トレイがカバー部から引き出し位置に引き出された状態を示す斜視図。
【図９】原稿サポート部に設けられたカバー部の支持部を示す斜視図。
【図１０】原稿サポート部に設けられたカバー部の支持部及びベースフレームに設けられた凹部を示す斜視図。
【図１１】図１のＡ−Ａ線における断面図。
【図１２】図１１におけるＢ部の拡大図。
【図１３】カバー部、原稿支持トレイ及び排出トレイを下方側から見た平面図。
【図１４】図１３におけるＣ部の拡大図。
【図１５】原稿支持トレイと排出トレイとの関係を示す側断面図。
【図１６】カバー部が開いた状態において原稿支持トレイが収納位置に位置した状態を示す斜視図。
【図１７】カバー部から引き出し位置に引き出した状態の原稿支持トレイを示す側断面図。
【図１８】第２の実施例に係るカバー部及び原稿支持トレイにおいて第１位置に位置するカバー部を示す斜視図。
【図１９】第２の実施例に係るカバー部及び原稿支持トレイにおいて第２位置に位置するカバー部を示す斜視図。
【図２０】第２の実施例において、カバー部、原稿支持トレイ及び排出トレイの閉じた状態を示す側断面図。
【図２１】第２の実施例において、カバー部、原稿支持トレイ及び排出トレイの開いた状態を示す側断面図。
【図２２】第２の実施例において、カバー部、原稿支持トレイ及び排出トレイの開いた状態においてカバー部が第２位置に位置した状態を示す側断面図。
【図２３】カバー部、原稿支持トレイ及び排出トレイを下方側から見た平面図。
【図２４】カバー部が第１位置から第２位置へ変位する際におけるガイド部と被ガイド部との関係を示す斜視図。
【図２５】カバー部が第１位置から第２位置へ変位する際におけるガイド部と被ガイド部との関係を示す斜視図。
【図２６】第３の実施例に係るカバー部及び原稿支持トレイを非使用状態から使用状態へと切り換える際の第１の状態を示す斜視図。
【図２７】第３の実施例に係るカバー部及び原稿支持トレイを非使用状態から使用状態へと切り換える際の第２の状態を示す斜視図。
【図２８】第３の実施例に係るカバー部及び原稿支持トレイの使用状態を示す斜視図。
【発明を実施するための形態】
【００４２】
以下、本発明の実施の形態を図面に基づいて説明する。尚、各実施例において同一の構成については、同一の符号を付し、最初の実施例においてのみ説明し、以後の実施例においてはその構成の説明を省略する。
【００４３】
図１は本発明に係るプリンターのスキャナーの非給送状態の外観斜視図であり、図２は本発明に係るプリンターのスキャナーの給送可能状態の外観斜視図であり、図３は本発明に係るスキャナーの非給送状態における原稿搬送路を示す側断面図であり、図４は本発明に係るスキャナーの給送可能状態における原稿搬送路を示す側断面図であり、図５はカバー部及び排出トレイの回動軌跡を説明する側断面図である。
【００４４】
図６はＡＤＦ部において開閉体を開いた姿勢とした状態の側断面図であり、図７は本発明に係る原稿支持トレイがカバー部に収納された状態を示す斜視図であり、図８は本発明に係る原稿支持トレイがカバー部から引き出し位置に引き出された状態を示す斜視図であり、図９は原稿サポート部に設けられたカバー部の支持部を示す斜視図であり、図１０は原稿サポート部に設けられたカバー部の支持部及びベースフレームに設けられた凹部を示す斜視図である。
【００４５】
図１１は図１のＡ−Ａ線における断面図であり、図１２は図１１におけるＢ部の拡大図であり、図１３はカバー部、原稿支持トレイ及び排出トレイを下方側から見た平面図であり、図１４は図１３におけるＣ部の拡大図であり、図１５は原稿支持トレイと排出トレイとの関係を示す側断面図である。
【００４６】
図１６はカバー部が開いた状態において原稿支持トレイが収納位置に位置した状態を示す斜視図であり、図１７はカバー部から引き出し位置に引き出した状態の原稿支持トレイを示す側断面図であり、図１８は第２の実施例に係るカバー部及び原稿支持トレイにおいて第１位置に位置するカバー部を示す斜視図であり、図１９は第２の実施例に係るカバー部及び原稿支持トレイにおいて第２位置に位置するカバー部を示す斜視図であり、図２０は第２の実施例において、カバー部、原稿支持トレイ及び排出トレイの閉じた状態を示す側断面図である。
【００４７】
図２１は第２の実施例において、カバー部、原稿支持トレイ及び排出トレイの開いた状態を示す側断面図であり、図２２は第２の実施例において、カバー部、原稿支持トレイ及び排出トレイの開いた状態においてカバー部が第２位置に位置した状態を示す側断面図であり、図２３はカバー部、原稿支持トレイ及び排出トレイを下方側から見た平面図であり、図２４はカバー部が第１位置から第２位置へ変位する際におけるガイド部と被ガイド部との関係を示す斜視図であり、図２５はカバー部が第１位置から第２位置へ変位する際におけるガイド部と被ガイド部との関係を示す斜視図である。
【００４８】
図２６は第３の実施例に係るカバー部及び原稿支持トレイを非使用状態から使用状態へと切り換える際の第１の状態を示す斜視図であり、図２７は第３の実施例に係るカバー部及び原稿支持トレイを非使用状態から使用状態へと切り換える際の第２の状態を示す斜視図であり、図２８は第３の実施例に係るカバー部及び原稿支持トレイの使用状態を示す斜視図である。
【００４９】
■■■第１の実施例■■■■
＜＜＜プリンターの概要＞＞＞
図１を参照して、プリンター１０の全体構成について説明する。プリンター１０は、記録装置の一例として、インクジェットプリンターとして構成されている。プリンター１０は、装置本体１２と、「画像読取装置」としてのスキャナーユニット１４とを備える複合機として構成されている。
【００５０】
本実施例において、スキャナーユニット１４は、装置本体１２の装置奥行き方向背面側端部に回動可能に接続されており、図示しないがスキャナーユニット１４を装置背面側に回動させることで、装置本体１２の上部を露呈させるように構成されている。スキャナーユニット１４は、スキャナー本体１６と、ＡＤＦ（オートドキュメントフィーダー）部１８とを備えている。
【００５１】
ＡＤＦ部１８は、スキャナー本体１６の装置奥行き方向背面側端部に回動可能に接続されており、ＡＤＦ部１８を装置背面側に回動させることで、スキャナーユニット１４の上部に設けられた原稿載置面２２（図３ないし図６）を露出させることができ、原稿載置面２２に原稿をセットすることができる。原稿載置面２２は、一例として透明かつ平坦なガラス板により構成されている。尚、本実施例における「原稿」とは、写真や文書等の原稿を一例とする。
【００５２】
図１において、ＡＤＦ部１８の上部には、カバー部２４と、排出トレイ３０と、「開閉体」としての湾曲搬送路形成部材３２と、ベースフレーム３４とが設けられている。ベースフレーム３４には、カバー部２４、排出トレイ３０及び湾曲搬送路形成部材３２が回動可能に取り付けられている。カバー部２４及び排出トレイ３０は、図１及び図３に示す閉じた状態（非給送状態）と、図２及び図４に示す開いた状態（給送状態）とを切り換え可能に構成されている。カバー部２４は、「第１面」としての上面２４ａと、「第２面」としての下面２４ｂとを備えている。
【００５３】
図１及び図３に示す非給送状態において、カバー部２４の上面２４ａ、排出トレイ３０の上面３０ａ、湾曲搬送路形成部材３２の上面３２ａ及びベースフレーム３４の上面３４ａは、ＡＤＦ部１８の上面１８ａを形成している。カバー部２４の上面２４ａ、排出トレイ３０の上面３０ａ、湾曲搬送路形成部材３２の上面３２ａ及びベースフレーム３４の上面３４ａが、水平方向であるＸ方向及びＹ方向に沿った姿勢を取ることにより、ＡＤＦ部１８の上面１８ａは、水平方向であるＸ方向及びＹ方向に沿った姿勢、つまり平坦な面を形成している。したがって、プリンター１０のＡＤＦ部１８の上面１８ａが平坦であることから、装置の美的外観が優れるだけでなく、ＡＤＦ部１８の上面１８ａに書類や物品を仮置きしたとしても、上面１８ａからこれらの書類等が落下することを低減でき、または抑制できるのでユーザーの利便性を向上させることができる。
【００５４】
図２及び図４において、カバー部２４及び排出トレイ３０が給送可能状態に切り換わると、カバー部２４の下面２４ｂ側に配置された原稿支持トレイ３６が露呈する。原稿支持トレイ３６については後述する。さらに、カバー部２４及び排出トレイ３０が給送可能状態に切り換わると、原稿サポート部３８がＡＤＦ部１８の上部において露呈する。原稿サポート部３８は、給送可能状態を取ったカバー部２４の下面２４ｂとともに原稿を支持する。原稿サポート部３８及びカバー部２４の下面２４ｂに支持された原稿は、原稿搬送路４０に沿って送られる。
【００５５】
＜＜＜原稿搬送路について＞＞＞
図４において原稿搬送路４０について説明する。尚、図４において符号Ｐが付された二点鎖線は、原稿搬送路４０に沿って搬送される原稿の搬送経路を示している。原稿搬送路４０において、原稿サポート部３８の搬送方向下流側には、「給送手段」としての給送ローラー４２、分離ローラー４４、搬送ローラー対４６、「読み取り手段」としての読取部４８及び排出ローラー対５０の順に配置されている。本実施例では、給送ローラー４２と対向する位置に従動ローラー５２が設けられている。従動ローラー５２は、給送ローラー４２に対して従動回転可能に構成されている。従動ローラー５２は、給送ローラー４２により給送される原稿が無くなって給送ローラー４２が回り続けた際、給送ローラー４２と対向面との間の摩擦を減らすために設けられている。その結果、搬送負荷による読取画像への影響を低減することができる。
【００５６】
図３及び図４において、分離ローラー４４と対向する位置には、分離パッド５４が設けられている。分離パッド５４は、分離ローラー４４と当接している。分離パッド５４は、一例として高摩擦材料で形成されている。給送ローラー４２により給送された複数の原稿は、分離ローラー４４及び分離パッド５４により分離され、分離ローラー４４と接している原稿のみが原稿搬送方向下流側に配置された搬送ローラー対４６に送られる。尚、分離ローラー４４から搬送ローラー対４６に送られる過程で原稿は湾曲反転させられる。
【００５７】
搬送ローラー対４６の下流側には、読取部４８が設けられている。搬送ローラー対４６により読取部４８に送られた原稿は、原稿載置面２２を介して対向する位置に設けられた画像読取機構５６により読み取られる。原稿載置面２２において画像読取機構５６により読み取られた原稿は、原稿搬送路４０において読取部４８の下流側に設けられた排出ローラー対５０に搬送され、排出ローラー対５０により排出トレイ３０の上面３０ａに排出される。
【００５８】
＜＜＜カバー部等の回動動作について＞＞＞
図３及び図５において、カバー部２４及び排出トレイ３０の姿勢切り換えについて説明する。図５において、カバー部２４には、回動軸２４ｃ（図１３）が形成され、回動軸２４ｃを回動支点として回動可能に構成されている。排出トレイ３０には、回動軸３０ｂ（図１３）が形成され、回動軸３０ｂを回動支点として回動可能に構成されている。図３においてカバー部２４の−Ｙ方向側には係合部２４ｄが形成されている。係合部２４ｄは、カバー部２４が非給送状態（図３）であるとき、排出トレイ３０の＋Ｙ方向側端部と係合して排出トレイ３０の下方側から排出トレイ３０を支持している。
【００５９】
次いで、図５において回動軸２４ｃを回動支点にカバー部２４を回動させると、係合部２４ｄは、符号２４ｄ−１が付された二点鎖線に示す回動軌跡に沿って回動軸２４ｃの周りを回動する。これにより、係合部２４ｄは排出トレイ３０の下方において排出トレイ３０を支持する位置から、回動軸２４ｃに対して＋Ｙ方向側の位置へ回動によって変位する。その結果、排出トレイ３０は、係合部２４ｄによる支えがなくなるので、回動軸３０ｂを回動支点に図５における反時計回り方向に回動し、非給送状態から給送可能状態へと切り換わる。尚、図６において符号３０−１が付された一点鎖線は、排出トレイ３０の＋Ｙ方向側端部の回動軌跡を示している。
【００６０】
図５において、カバー部２４が回動軸２４ｃを回動支点に時計回り方向に回動すると、上面２４ａが外装面に対し下方側に移行し、下面２４ｂが外装面に対し上方側に移行し、下面２４ｂが原稿の支持面として機能する。
【００６１】
図５において、カバー部２４には、被角度規定部２４ｅが設けられている。ベースフレーム３４の内壁には、角度規定部３４ｂが形成されている。図５に示すように、カバー部２４が回動すると、被角度規定部２４ｅが角度規定部３４ｂと当接し、カバー部２４の給送姿勢が規定される。
【００６２】
図６において、原稿サポート部３８も回動軸３８ａ（図９）を支点として回動可能に構成されている。回動軸３８ａを支点に原稿サポート部３８を持ち上げると、原稿搬送路４０において排出ローラー対５０から排出トレイ３０に至る排出経路５８の少なくとも一部にアクセスが可能となる。これにより、ユーザーが排出経路５８の少なくとも一部を容易に目視確認することができる。その結果、排出経路５８において原稿が詰まった際、容易に詰まった原稿を取り除くことができる。
【００６３】
図４及び図６において、湾曲搬送路形成部材３２は、不図示の回動軸を支点に回動可能に構成されている。図４において、湾曲搬送路形成部材３２がベースフレーム３４に対して閉じられた状態で、湾曲搬送路形成部材３２は、原稿搬送路４０の一部を形成するように構成されている。さらに、湾曲搬送路形成部材３２には、一例として給送ローラー４２及び分離ローラー４４が設けられている。
【００６４】
湾曲搬送路形成部材３２をベースフレーム３４に対して回動させて開いた状態（図６）とすると原稿搬送路４０の一部が開放される。したがって、原稿搬送路４０の一部において原稿のジャムが生じた場合、原稿搬送路４０の一部を開放することができるので、原稿搬送路４０内に詰まった原稿を容易に取り去ることができる。
【００６５】
＜＜＜原稿支持トレイについて＞＞＞
図７及び図８において、原稿支持トレイ３６について説明する。原稿支持トレイ３６は、図７に示すようにカバー部２４の下面２４ｂの側に配置されている。原稿支持トレイ３６は、カバー部２４に対して下面２４ｂに沿ってカバー部２４に収納される収納位置（図７）と、収納位置から原稿の給送方向上流側（−Ｙ方向側）に引き出された引き出し位置（図８）との間を変位可能に構成されている。さらに、原稿支持トレイ３６は、カバー部２４の回動軸２４ｃを支点としてカバー部２４とともに回動可能に構成されている。
【００６６】
本実施例において、図１１及び図１３において、原稿支持トレイ３６の原稿給送方向（Ｙ軸方向）における長さは、カバー部２４の原稿給送方向における長さより短く設定されている。加えて、原稿支持トレイ３６の原稿給送方向（Ｙ軸方向）と交差する方向である原稿幅方向（Ｘ軸方向）における長さは、カバー部２４の原稿幅方向における長さより短く設定されている。つまり、原稿支持トレイ３６がカバー部２４に対して収納位置に位置すると、原稿支持トレイ３６は、原稿給送方向（Ｙ軸方向）及び原稿幅方向（Ｘ軸方向）においてカバー部２４が占める領域内に納められる。尚、ここでは、原稿支持トレイ３６のＸ軸方向における長さに後述する突出部３６ｄを含めていない。
【００６７】
本実施例において、原稿支持トレイ３６は、一例として樹脂材料により形成されている。本実施例における原稿支持トレイ３６は、一例として透明な部材として形成したが、半透明又は不透明の部材として形成してもよい。
【００６８】
カバー部２４は、図３及び図７に示すように、原稿支持トレイ３６がカバー部２４に対して収納位置に位置する際、閉じた状態（非給送状態）と開いた状態（給送可能状態）とを切り換えることができる。カバー部２４が閉じた状態（非給送状態）では、原稿支持トレイ３６は、カバー部２４の下面２４ｂの下方に位置し、スキャナーユニット１４内に格納される。この状態では、図１に示すように、原稿支持トレイ３６はスキャナーユニット１４内に収納され、スキャナーユニット１４の外側に対して露呈しないので、プリンター１０の美観を保つことができる。
【００６９】
図４において、原稿支持トレイ３６がカバー部２４から引き出された引き出し位置に位置した状態では、排出経路５８の一部、具体的には排出トレイ３０の装置高さ方向上方に位置しており、排出トレイ３０の少なくとも一部を覆っている。この状態では、原稿支持トレイ３６が、排出トレイ３０（排出経路５８）の一部あるいは排出トレイ３０に排出された原稿に埃等が堆積することを抑制できる。
【００７０】
図７及び図８に示すように、原稿支持トレイ３６は、カバー部２４に対する収納位置から給送方向上流側の引き出し位置に引き出すことができる。原稿支持トレイ３６が引き出し位置に位置する状態では、原稿支持トレイ３６は原稿サポート部３８及びカバー部２４とともに原稿を支持することができ、原稿を支持する領域を拡張することができる。その結果、原稿の給送方向（Ｙ軸方向）における長尺の原稿にも対応することができ、長尺の原稿を適切に支持することができる。
【００７１】
図７及び図８において、カバー部２４の原稿幅方向（原稿の給送方向であるＹ軸方向と交差する方向）、つまりＸ軸方向の両端部には、「第１支持部」としての一対のガイド部２４ｆが形成されている。本実施例において一対のガイド部２４ｆは、Ｘ軸方向において互いに対向する方向に突出するとともに原稿の給送方向であるＹ軸方向に沿って延設されている。より具体的には、本実施例におけるガイド部２４ｆは、下面２４ｂと間隔をおいて対向する庇状に形成され、ガイド部２４ｆと下面２４ｂとがスリットを構成している。
【００７２】
一方、原稿支持トレイ３６のＸ軸方向両端部には被ガイド部３６ａが設けられている。被ガイド部３６ａは、下面２４ｂとガイド部２４ｆとの間に形成されたスリット内に受け入れられており、原稿支持トレイ３６はカバー部２４に対してスライド移動が可能である。
【００７３】
原稿支持トレイ３６は、図７及び図８に示すように、カバー部２４が開いた状態で装置高さ方向上方を向く面が原稿支持面３６ｂとして構成されている。原稿支持トレイ３６は、カバー部２４に対して収納位置（図７）に位置する場合には、原稿サポート部３８とともに読取部４８に給送される原稿を支持し、カバー部２４に対して引き出し位置（図８）に位置する場合には、原稿サポート部３８及びカバー部２４の下面２４ｂとともに原稿を支持する延長トレイとして構成されている。
【００７４】
図９ないし図１２においてカバー部２４及び原稿支持トレイ３６の回動に関連する構成について説明する。図９及び図１０において原稿サポート部３８のＸ軸方向両端部の上部には、「第２支持部」としての受け部３８ｂ、３８ｃがそれぞれ形成されている。本実施例では、原稿サポート部３８の＋Ｘ方向側端部に受け部３８ｂが形成され、−Ｘ方向側端部に受け部３８ｃが形成されている。受け部３８ｂ、３８ｃは、カバー部２４及び収納位置に位置する原稿支持トレイ３６が非給送状態（閉じた状態、図３）を取る際、原稿支持トレイ３６の原稿支持面３６ｂの一部と当接し、原稿支持トレイ３６、ひいてはカバー部２４を支持する。したがって、カバー部２４は、非給送状態において原稿支持トレイ３６を介して原稿サポート部３８に支持されている。
【００７５】
本実施例において、図３に示すようにカバー部２４が閉じた状態において、カバー部２４の下面２４ｂに沿った状態で原稿支持トレイ３６がカバー部２４の下方側に収納されている。これによりカバー部２４の上面２４ａに押圧力や衝撃力が作用しても、カバー部２４はカバー部２４だけでなく原稿支持トレイ３６とともに押圧力や衝撃力に対向することができるので、カバー部２４の変形を抑制でき、カバー部２４の剛性感を得ることができる。
【００７６】
さらに、原稿支持トレイ３６は、ベースフレーム３４に取りつけられた原稿サポート部３８の受け部３８ｂ、３８ｃに支持されているので、カバー部２４に掛かる押圧力に対してカバー部２４の剛性をより高めることができる。加えて、受け部３８ｂ、３８ｃが原稿支持トレイ３６、ひいてはカバー部２４の位置や姿勢を維持できる。その結果、カバー部２４の上面２４ａの変形を低減、あるいは抑制でき、上面１８ａの平坦性を維持できる。
【００７７】
次いで、図１１及び図１２において、原稿支持トレイ３６がカバー部２４に対して収納位置に位置する状態でカバー部２４及び原稿支持トレイ３６が閉じた状態となると、原稿支持トレイ３６は、カバー部２４のガイド部２４ｆと受け部３８ｂ、３８ｃに支持される。本実施例では、ガイド部２４ｆは第１支持部として機能し、受け部３８ｂ、３８ｃは第２支持部として機能している。図１２に示すように、本実施例では、カバー部２４及び原稿支持トレイ３６が閉じた状態において、ガイド部２４ｆと受け部３８ｃとは装置高さ方向にオーバーラップしている。これにより、装置高さ方向におけるスキャナーユニット１４のサイズ、ひいてはプリンター１０の装置サイズの大型化を抑制でき、装置をコンパクトにすることができる。
【００７８】
次いで図１３ないし図１５において、原稿支持トレイ３６と排出トレイ３０との関係について説明する。図１３及び図１４において、原稿支持トレイ３６の原稿給送方向下流側端部３６ｃには、原稿幅方向であるＸ軸方向に間隔をおいて複数の突出部３６ｄが設けられている。尚、以下の説明において原稿支持トレイ３６の原稿給送方向における端部は、原稿支持トレイ３６の開いた状態（給送状態、図２及び図７参照）において給送方向上流側の端部を上流側端部とし、給送方向下流側を下流側端部とし、原稿支持トレイ３６が閉じた状態では、給送方向上流側と下流側とが反転するが、開いた状態の給送方向を基準に説明する。
【００７９】
突出部３６ｄは、排出トレイ３０の側、つまり−Ｙ方向側に突出している。図１５に示すように、突出部３６ｄは、装置高さ方向において排出トレイ３０の＋Ｙ方向側端部３０ｃの下方に位置しており、＋Ｙ方向側端部３０ｃを支持している。突出部３６ｄと排出トレイ３０とは、Ｙ軸方向及びＸ軸方向、つまり装置上面１８ａに沿った平面方向においてオーバーラップしている。
【００８０】
本実施例では、カバー部２４、原稿支持トレイ３６及び排出トレイ３０が閉じた状態において突出部３６ｄが排出トレイ３０の＋Ｙ方向側端部３０ｃを下方側から支持しているので、排出トレイ３０の＋Ｙ方向側端部３０ｃの周辺に押圧力や衝撃力が作用しても、突出部３６ｄが＋Ｙ方向側端部３０ｃを支持するので、＋Ｙ方向側端部３０ｃの変形を抑制できる。
【００８１】
図１３において、排出トレイ３０の＋Ｙ方向側端部３０ｃには、Ｘ軸方向に間隔をおいて複数の突起部３０ｄが原稿支持トレイ３６側に突出している。本実施例では、突起部３０ｄは２つ設けられている。突起部３０ｄの少なくとも一部は、カバー部２４、原稿支持トレイ３６及び排出トレイ３０が閉じた状態において、原稿支持トレイ３６の給送方向下流側端部３６ｃの下方に位置しており、給送方向下流側端部３６ｃを支持している。突起部３０ｄと原稿支持トレイ３６とは、Ｙ軸方向及びＸ軸方向、つまり装置上面１８ａに沿った平面方向においてオーバーラップしている。
【００８２】
本実施例では、カバー部２４、原稿支持トレイ３６及び排出トレイ３０が閉じた状態において原稿支持トレイ３６の突出部３６ｄが排出トレイ３０の＋Ｙ方向側端部３０ｃを支持し、排出トレイ３０の突起部３０ｄが原稿支持トレイ３６の給送方向下流側端部３６ｃを支持する構成とした。これにより、原稿支持トレイ３６と排出トレイ３０との繋ぎ目６０（図１及び図１５）に押圧力や衝撃力が作用しても、突出部３６ｄ及び突起部３０ｄが互いに原稿支持トレイ３６及び排出トレイ３０を支持しあうので、原稿支持トレイ３６の給送方向下流側端部３６ｃ及び排出トレイ３０の＋Ｙ方向側端部３０ｃの変形を抑制できる。その結果、繋ぎ目６０に対応する位置における平坦性が大きく損なわれることが低減できるので、上面１８ａの平坦性を確保できるとともに平坦な上面１８ａにおける美感を保つことができる。
【００８３】
図２において、原稿支持トレイ３６が引き出し位置に位置する際、カバー部２４の下面２４ｂは原稿サポート部３８にセットされる原稿の一部を支持する支持面として機能する。ここで、図２におけるカバー部２４の下面２４ｂの＋Ｙ方向側端部２４ｇには、下面２４ｂから突出する複数のリブ２４ｈが、Ｘ軸方向に間隔をおいて形成されている。本実施例において、リブ２４ｈは、カバー部２４の下面２４ｂから原稿サポート部３８の支持面３８ｄに原稿を円滑に受け渡しできるように構成されている。具体的にはリブ２４ｈの頂部の高さ位置が原稿サポート部３８の支持面３８ｄの−Ｙ方向側端部の高さ位置よりも上方に位置するように構成されている。これにより、原稿が下面２４ｂから原稿サポート部３８に変位する際、支持面３８ｄの−Ｙ方向側端部に引っ掛かることを抑制できる。
【００８４】
原稿支持トレイ３６の給送方向下流側端部３６ｃには、Ｘ軸方向においてリブ２４ｈに対応する位置にスリット３６ｅが設けられている。図１６に示すように、原稿支持トレイ３６がカバー部２４に対して収納位置に位置する際、リブ２４ｈはスリット３６ｅ内に受け入れられており、Ｙ軸方向においてリブ２４ｈとスリット３６ｅとはオーバーラップしている。原稿支持トレイ３６がカバー部２４に対して収納位置に位置する状態において、スリット３６ｅ内に受け入れられているリブ２４ｈの頂部は、原稿支持トレイ３６の原稿支持面３６ｂより装置高さ方向上方側に突出しており、原稿支持面３６ｂに支持された原稿を原稿サポート部３８の支持面３８ｄに円滑に案内することができる。
【００８５】
図１６において原稿支持トレイ３６の原稿支持面３６ｂの−Ｙ方向側端部には凹部３６ｆが形成されている。本実施例では、凹部３６ｆは一例として原稿支持トレイ３６に対して非貫通部として構成したが、貫通部として構成してもよい。カバー部２４及び原稿支持トレイ３６が開いた状態において、ユーザーが凹部３６ｆに指をかけることで、原稿支持トレイ３６を容易に収納位置から引き出し位置へと変位させることができる。
【００８６】
図７及び図１６において、開いた状態のカバー部２４の下面２４ｂの−Ｙ方向側端部（回動自由端側の端部）には、下面２４ｂから原稿支持トレイ３６の側に向けて突出する、「摩擦力付与部」としての突起２４ｊが形成されている。本実施例において突起２４ｊは、Ｘ軸方向に間隔をおいて２箇所設けられている。突起２４ｊは、原稿支持トレイ３６の原稿給送方向上流側端部３６ｈに対して収納位置から引き出し位置へ切り換わる経路上に形成されている。本実施例において、突起２４ｊは、カバー部２４に対して原稿支持トレイ３６を変位させる際、カバー部２４と原稿支持トレイ３６との間に摩擦力を生じさせるように構成されている。
【００８７】
したがって、突起２４ｊは、カバー部２４に対して原稿支持トレイ３６を収納位置と引き出し位置との間で変位させる際、カバー部２４と原稿支持トレイ３６との間に摩擦力を生じさせる。これにより、原稿支持トレイ３６がカバー部２４に収納された状態において、カバー部２４及び原稿支持トレイ３６を閉じた状態（図１）から開いた状態（図７）、あるいは開いた状態から閉じた状態へと回動させる際、カバー部２４と原稿支持トレイ３６との間に摩擦力が作用し、原稿支持トレイ３６の意図しないカバー部２４からの飛び出しを防止できる。
【００８８】
次いで図１７において、原稿支持トレイ３６において、原稿支持面３６ｂと反対側の面３６ｊ（カバー部２４の下面２４ｂと対向する面）には、溝３６ｋが原稿給送方向に沿って設けられている。本実施例では、溝３６ｋは、Ｘ軸方向において原稿支持トレイ３６に複数設けられたスリット３６ｅのうち最も外側に位置するスリット３６ｅに対応する位置に形成されている。
【００８９】
図１６及び図１７において、原稿支持トレイ３６が収納位置から引き出し位置に引き出される際、原稿支持トレイ３６の上流側端部３６ｈは、突起２４ｊを乗り越えて引き出し位置へ変位する。この際、突起２４ｊは、上流側端部３６ｈの下方に潜り込んだ後、溝３６ｋ内に入り込み、原稿支持トレイ３６の変位に伴って溝３６ｋに沿って変位する。原稿支持トレイ３６が引き出し位置に位置すると、突起２４ｊは、原稿支持トレイ３６のスリット３６ｅに設けられた保持部３６ｍ（図１７）と係合し、原稿支持トレイ３６を支持する。
【００９０】
これにより、原稿支持トレイ３６が自重等により引き出し位置から収納位置へ動いてしまうことがなく、原稿支持トレイ３６を引き出し位置に確実に保持することができる。加えて、原稿支持トレイ３６を収納位置から引き出し位置へ、あるいは引き出し位置から収納位置へ変位させる際、突起２４ｊが溝３６ｋに沿って変位するので、カバー部２４に対する原稿支持トレイ３６の変位時の斜行を低減、あるいは防止でき、原稿支持トレイ３６の操作性が向上する。
【００９１】
図１７において、原稿支持トレイ３６の下流側端部３６ｃの上部には、給送方向上流側（−Ｙ方向側）から下流側（＋Ｙ方向側）に向かって原稿支持トレイ３６の厚みを薄くするテーパー３６ｎが形成されている。テーパー３６ｎは、原稿支持トレイ３６の原稿支持面３６ｂから原稿サポート部３８の支持面３８ｄに原稿を受け渡す際、原稿の搬送負荷を低減でき、原稿の搬送性を向上させることができる。
【００９２】
■■■第２の実施例■■■■
次いで、図１８ないし図２５において第２の実施例について説明する。本実施例では、原稿支持トレイ側に回動軸を設け、原稿支持トレイとともにカバー部が回動するとともにカバー部が原稿支持トレイから引き出される延長トレイとして構成されている点が第１の実施例と異なる。
【００９３】
ＡＤＦ部６２は、閉じた状態（図１）と開いた状態（図１８）とを切り換え可能なカバー部６４及び原稿支持トレイ６６を備えている。加えて、ＡＤＦ部６２は排出トレイ３０、原稿サポート部３８、湾曲搬送路形成部材３２及びベースフレーム６８を備えている。図２３に示すように、原稿支持トレイ６６には、Ｘ軸方向に突出する一対の回動軸６６ａが形成されている。回動軸６６ａはベースフレーム６８に取り付けられている。原稿支持トレイ６６は、ベースフレーム６８に対して回動可能に構成されている。
【００９４】
本実施例において原稿支持トレイ６６は、一例として金属材料で形成している。尚、原稿支持トレイ６６は樹脂材料等で形成してもよい。本実施例では、原稿支持トレイ６６を金属材料で形成したので、原稿支持トレイ６６の剛性を高めることができる。これにより、原稿支持トレイ６６がカバー部６４に収納され、かつカバー部６４及び原稿支持トレイ６６が閉じた状態において、原稿支持トレイ６６がカバー部６４をより強固に支持することができるので、カバー部６４の剛性感を増すことができる。
【００９５】
図２０に示すように、本実施例においても、カバー部６４、原稿支持トレイ６６、排出トレイ３０及び湾曲搬送路形成部材３２がベースフレーム６８に対して閉じた状態において、カバー部６４の「第１面」としての上面６４ａ、排出トレイ３０の上面３０ａ、湾曲搬送路形成部材３２の上面３２ａ及びベースフレーム６８の上面６８ａがＡＤＦ部６２の上面６２ａを形成する。本実施例においても、上面６２ａは平坦な面として形成されている。
【００９６】
本実施例において、カバー部６４は、図１８、図１９、図２１、図２２及び図２４に示すように、原稿支持トレイ６６を収納した第１位置（図１８及び図２１）と、原稿支持トレイ６６から引き出した第２位置（図１９及び図２２）との間を変位可能に構成されている。具体的には、カバー部６４は原稿支持トレイ６６に対して給送方向に沿ってスライド移動可能に構成されている。カバー部６４が第１位置に位置する状態（図２０）では、カバー部６４の「第２面」としての下面６４ｂの下方に原稿支持トレイ６６が位置し、下面６４ｂに沿った状態となる。
【００９７】
カバー部６４が原稿支持トレイ６６から引き出された第２位置に位置すると原稿支持トレイ６６は原稿サポート部３８にセットされた原稿の一部を支持する原稿支持状態となる。さらに、カバー部６４が第２位置に引き出されると、原稿サポート部３８及び原稿支持トレイ６６とともにカバー部６４も原稿を支持可能となり、給送方向において長尺な原稿を適切に支持することができる。
【００９８】
図２０において、カバー部６４及び原稿支持トレイ６６が閉じた状態において、原稿支持トレイ６６の給送方向下流側端部（図２０では−Ｙ方向側の端部、給送方向上流側及び下流側の基準は開いた状態を基準とする）は排出トレイ３０の＋Ｙ方向側端部３０ｃを支持する、「突出部」としての支持部６６ｂ（図２３）として構成されている。具体的には、支持部６６ｂは排出トレイ３０の＋Ｙ方向側端部３０ｃの下方に位置している。支持部６６ｂは、図２０及び図２３に示すようにＹ軸方向及びＸ軸方向、つまり装置上面６２ａに沿った平面方向においてオーバーラップしている。
【００９９】
本実施例では、支持部６６ｂは排出トレイ３０のＸ軸方向の略全長に渡って排出トレイ３０を支持している。これにより、排出トレイ３０を原稿支持トレイ６６の支持部６６ｂにより広範囲で支えることができ、カバー部６４と排出トレイ３０との繋ぎ目の強度を上げることができる。その結果、ＡＤＦ部６２の上面６２ａに荷重や衝撃力が作用した際、カバー部６４や排出トレイ３０が押圧された際の剛性感を増すことができるとともに、上面６２ａの平坦性を確保することができる。
【０１００】
次いで、回動軸６６ａ（図２３及び図２４）を回動支点としてカバー部６４及び原稿支持トレイ６６を図２０及び図２１における時計回り方向に回動させると、カバー部６４及び原稿支持トレイ６６は閉じた状態から開いた状態（図１８及び図２１）に切り換わる。
【０１０１】
次いで、図１８、図１９、図２１、図２２、図２４及び図２５において原稿支持トレイ６６に対するカバー部６４の第１位置と第２位置との間の変位に関連する構成について説明する。まず、図２４に示すように、回動軸６６ａは、一例として原稿支持トレイ６６のＸ軸方向両端部に形成されたブロック状の位置規定部６６ｃと一体に形成されている。
【０１０２】
図１８及び図１９に示すように、カバー部６４及び原稿支持トレイ６６が開いた状態において、原稿支持トレイ６６のＸ軸方向両端部において回動軸６６ａ（図２３及び図２４）の給送方向上流側には、ガイド６６ｄが形成されている。
【０１０３】
カバー部６４のＸ軸方向両端部周辺領域には、給送方向下流側に被ガイド部６４ｃ（図２４）が形成され、給送方向上流側に被ガイド部６４ｄが形成されている。被ガイド部６４ｃ及び被ガイド部６４ｄは、一例として、ともに給送方向に沿って延びるスリットとして構成されている。被ガイド部６４ｃには、図２４に示すように回動軸６６ａが受け入れられ、被ガイド部６４ｄにはガイド６６ｄが受け入れられている。本実施例において、被ガイド部６４ｃ、６４ｄにそれぞれ回動軸６６ａ及びガイド６６ｄが受け入れられているので、カバー部６４は原稿支持トレイ６６の回動に追従して回動する。
【０１０４】
カバー部６４のＸ軸方向両端部の給送方向下流側端部には、被位置規定部６４ｅ（図１９、図２４の下の図及び図２５の下の図）が設けられている。
【０１０５】
図１９、図２１及び図２４の上の図において、回動軸６６ａ（図２３）は被ガイド部６４ｃの給送方向上流側端部に位置している。同様に、ガイド６６ｄも被ガイド部６４ｄ内において被ガイド部６４ｄの給送方向上流側端部に位置している。
【０１０６】
カバー部６４を原稿支持トレイ６６に対して第１位置（図２１）から第２位置（図２２）に向けて変位させると、回動軸６６ａ（図２３及び図２４）は被ガイド部６４ｃの給送方向上流側端部から離間し、給送方向下流側端部に向けて変位する。同様にガイド６６ｄも被ガイド部６４ｄの給送方向上流側端部から離間し、給送方向下流側端部に向けて変位する。図１９、図２２及び図２４の下の図に示すように、カバー部６４が第２位置に引き出されると、回動軸６６ａ（図２３）は被ガイド部６４ｃの給送方向下流側端部と当接し、ガイド６６ｄは被ガイド部６４ｄの給送方向下流側端部と当接した状態となる。
【０１０７】
加えて、回動軸６６ａ（図２３及び図２４）と一体に形成された位置規定部６６ｃが、カバー部６４の被位置規定部６４ｅと当接する。これにより、カバー部６４の原稿支持トレイ６６に対する位置が規定される。つまり、カバー部６４が原稿支持トレイ６６に対する第２位置に位置する。カバー部６４を原稿支持トレイ６６から引き出す際、位置規定部６６ｃを被位置規定部６４ｅに当接させて位置決めするので、カバー部６４を原稿支持トレイ６６から引き出して第２位置に変位させる際に回動軸６６ａに掛かる荷重や衝撃力の一部を位置規定部６６ｃで受けることができ、回動軸６６ａに掛かる荷重や衝撃力を分散でき、回動軸６６ａの破損を防止できる。
【０１０８】
図２２において、カバー部６４が原稿支持トレイ６６から引き出されて第２位置に位置すると、カバー部６４は、排出トレイ３０の少なくとも一部の装置高さ方向上方に位置し、排出トレイ３０の少なくとも一部を覆う。これにより、カバー部６４は、排出トレイ３０の少なくとも一部や排出トレイ３０に排出された原稿の少なくとも一部に埃等が堆積することを抑制、あるいは防止できる。
【０１０９】
図１８、図１９、図２４及び図２５において、ベースフレーム６８の側面６８ｂには、角度規定部６８ｃが形成されている。本実施例における角度規定部６８ｃは、カバー部６４のスライド移動の変位量に対応して、カバー部６４のスライド移動の方向、つまり給送方向に沿って延設されている。具体的には、角度規定部６８ｃは、給送方向においてカバー部６４の第１位置に対応する位置から第２位置に対応する位置まで延設されている。
【０１１０】
図２５の上の図及び下の図において、カバー部６４には被角度規定部６４ｆが設けられている。被角度規定部６４ｆは、カバー部６４が閉じた状態から開いた状態に切り換わった際、角度規定部６８ｃと当接し、カバー部６４のベースフレーム６８に対する角度（姿勢）を規定する。
【０１１１】
本実施例では、角度規定部６８ｃは、給送方向においてカバー部６４の第１位置に対応する位置から第２位置に対応する位置まで延設されているので、カバー部６４が第１位置から第２位置までの間のいずれの位置に位置する状態でも被角度規定部６４ｆが角度規定部６８ｃに当接することができる。その結果、カバー部６４が第１位置から第２位置までのいずれの位置に位置した場合でも、カバー部６４は所定の角度（姿勢）を取ることができる。
【０１１２】
図１８及び図１９において、カバー部６４の下面６４ｂの給送方向下流側端部には、複数のリブ６４ｇがＸ軸方向に適宜間隔をおいて形成されている。原稿支持トレイ６６においても給送方向下流側端部には、複数のスリット６６ｅがＸ軸方向においてリブ６４ｇに対応するように形成されている。各リブ６４ｇは、スリット６６ｅ内に受け入れられている。
【０１１３】
カバー部６４が第１位置に位置する際、リブ６４ｇはスリット６６ｅの給送方向下流側端部に位置し、カバー部６４が第２位置に変位するとリブ６４ｇはスリット６６ｅに沿ってスリット６６ｅの上流側端部に変位する。本実施例においてもリブ６４ｇの頂部はスリット６６ｅから突出しており、原稿支持トレイ６６の原稿支持面６６ｆから原稿サポート部３８の支持面３８ｄ（図１８及び図１９）に円滑に原稿を受け渡すように構成されている。
【０１１４】
図１８及び図１９においてカバー部６４の下面６４ｂの給送方向上流側端部には、複数の「摩擦力付与部」としての突起６４ｈが原稿支持トレイ６６側に向けて突出している。本実施例において、複数の突起６４ｈは、一例として４箇所形成されている。本実施例において４箇所の突起６４ｈのうち、２つずつが組になって配置されている。２組の突起６４ｈは、Ｘ軸方向に間隔をおいて配置されている。さらに、各組における２つの突起６４ｈは、Ｙ軸方向に間隔をおいて配置されている。突起６４ｈは、カバー部６４と原稿支持トレイ６６との間で摩擦力が生じるように構成されている。突起６４ｈは、カバー部６４が第２位置に位置する際、原稿支持トレイ６６の給送方向上流側端部側に位置し、カバー部６４が第２位置から第１位置に自重等により意図せずに変位することを抑制する。
【０１１５】
＜＜＜第２の実施例の変更例＞＞＞
本実施例において、位置規定部６６ｃは回動軸６６ａと一体に形成したが、この構成に代えて、別体として構成してもよく、位置規定部６６ｃを回動軸６６ａから離れた位置に設けてもよい。
【０１１６】
■■■第３の実施例■■■■
図２６ないし図２８において第３の実施例について説明する。第３の実施例においてＡＤＦ部７０は、カバー部７２及び原稿支持トレイ７４、ベースフレーム７６を備えている。ＡＤＦ部７０においてカバー部７２が閉じた状態（図１）からカバー部７２を図２６における給送方向上流側（図２６の矢印方向）にスライドさせる。尚、ＡＤＦ部７０のベースフレーム７６内には、カバー部７２及び原稿支持トレイ７４をスライドさせる不図示のスライド機構が設けられている。また、カバー部７２及び原稿支持トレイ７４のスライド移動に連動して排出トレイ３０も閉じた状態から開く状態へと切り換わる。本実施例では、一例として前記スライド機構に連動して排出トレイ３０の状態を切り換える不図示のリンク機構が設けられている。
【０１１７】
図２７において、カバー部７２及び原稿支持トレイ７４が給送方向上流側にスライド移動すると、原稿サポート部３８が露呈する。この状態で、カバー部７２を装置高さ方向上方に持ち上げるように変位させる（図２７の矢印方向）と、カバー部７２が原稿支持トレイ７４に対してスライドし、収納位置から引き出し位置へと引き出される。これにより、カバー部７２、原稿支持トレイ７４及び原稿サポート部３８に原稿をセットすることができる。これにより、給送方向における長尺な原稿を適切に支持することができる。
【０１１８】
この構成においても、図２８に示すように、カバー部７２の一部が排出トレイ３０の少なくとも一部の装置高さ方向上方に位置し、排出トレイ３０の少なくとも一部を覆うので、排出トレイ３０の少なくとも一部及び排出トレイ３０に排出された原稿の一部に埃等が堆積することを低減、あるいは防止できる。加えて、原稿支持トレイ７４がカバー部７２に対して収納された状態（図２６及び図２７）において、原稿支持トレイ７４がカバー部７２を支持し、補強するので、カバー部７２に押圧力や衝撃力が作用した際におけるカバー部７２の変形を低減、あるいは抑制でき、カバー部７２の剛性感を増すことができる。
【０１１９】
上記説明をまとめると、スキャナーユニット１４は、原稿を読み取る読取部４８と、開閉可能であり、閉じた状態で上面２４ａが装置上面１８ａを形成し、開いた状態で上面２４ａとは反対側の下面２４ｂが読取部４８に送られる原稿を支持するカバー部２４と、カバー部２４とともに開閉可能であり、カバー部２４の下面２４ｂ側に配置され、カバー部２４が閉じた状態において下面２４ｂに沿った状態で収納される収納位置と、カバー部２４が開いた状態において収納位置からカバー部２４に対して原稿の給送方向上流側（−Ｙ方向側）へ引き出された引き出し位置との間を変位可能であり、カバー部２４が開いた状態においてカバー部２４に支持された原稿の少なくとも一部を支持する原稿支持トレイ３６とを備える。
【０１２０】
上記構成によれば、原稿支持トレイ３６は、カバー部２４が閉じた状態において下面２４ｂに沿った状態で収納される収納位置と、カバー部２４が開いた状態において収納位置からカバー部２４に対して原稿の給送方向上流側（−Ｙ方向側）へ引き出された引き出し位置との間を変位可能であり、原稿支持トレイ３６を引き出し位置に位置させることで、原稿の給送方向であるＹ軸方向において原稿等を支持する領域を拡張することができ、給送方向であるＹ軸方向における長さが長い原稿を適切に支持することができる。  
しかも、原稿支持トレイ３６は、カバー部２４が閉じた状態において下面２４ｂに沿った状態で収納されるので装置をコンパクトにすることができ、装置サイズの小型化を図ることができる。
【０１２１】
また、閉じた状態においてカバー部２４が押圧された際、カバー部２４のみで押圧力に対抗する場合に比べて、上記構成では、カバー部２４とともに原稿支持トレイ３６も押圧力に対抗するので、カバー部２４の変形を低減でき、カバー部２４の剛性感を得ることができる。
【０１２２】
スキャナーユニット１４は、カバー部２４及び原稿支持トレイ３６が開いた状態において原稿支持トレイ３６が引き出し位置に引き出されると、原稿支持トレイ３６は、読取部４８によって読み取りが行われて排出される原稿の排出経路５８の少なくとも一部に対して装置高さ方向上方に位置して、排出経路５８の少なくとも一部を覆う。
【０１２３】
上記構成によれば、カバー部２４及び原稿支持トレイ３６が開いた状態において原稿支持トレイ３６が引き出し位置に引き出されると、原稿支持トレイ３６は読取部４８によって読み取りが行われて排出される原稿の排出経路５８の少なくとも一部に対して装置高さ方向上方に位置して、排出経路５８の少なくとも一部を覆うので、排出経路５８の少なくとも一部及び排出経路５８において排出された原稿に埃等が堆積することを抑制できる。
【０１２４】
開いた状態のカバー部２４に対し原稿の給送方向下流側（＋Ｙ方向側）に位置し、給送前の原稿をカバー部２４とともに支持する原稿サポート部３８を備え、カバー部２４が閉じた状態において原稿支持トレイ３６は原稿サポート部３８に支持される。この構成によれば、カバー部２４が閉じた状態において原稿支持トレイ３６は原稿サポート部３８に支持される。つまり、閉じた状態におけるカバー部２４が原稿支持トレイ３６を介して原稿サポート部３８に支持されるので、カバー部２４が押圧された際におけるカバー部２４の変形をより確実に低減することができ、カバー部２４の剛性感をより一層得ることができる。
【０１２５】
カバー部２４には、カバー部２４が閉じた状態において原稿支持トレイ３６を支持するガイド部２４ｆが設けられ、原稿サポート部３８には原稿支持トレイ３６を支持する受け部３８ｂ、３８ｃが設けられ、装置高さ方向においてガイド部２４ｆの少なくとも一部と受け部３８ｂ、３８ｃの少なくとも一部とがオーバーラップしている。この構成によれば、装置高さ方向における装置サイズを抑制することができる。
【０１２６】
カバー部２４の原稿の給送方向であるＹ軸方向と交差する方向である原稿幅方向であるＸ軸方向における両端部及び原稿支持トレイの原稿幅方向であるＸ軸方向における両端部のいずれか一方には、原稿支持トレイ３６の変位方向に沿ってガイド部２４ｆが延設され、他方にはガイド部２４ｆと係合してガイド部２４ｆによりガイドされる被ガイド部３６ａが設けられている。
【０１２７】
上記構成によれば、被ガイド部３６ａはガイド部２４ｆと係合してガイド部２４ｆにガイドされる原稿支持トレイ３６のカバー部２４に対する変位を円滑にできるともに、原稿支持トレイ３６が変位する際、原稿支持トレイ３６がカバー部２４から脱落することを抑制できる。
【０１２８】
原稿支持トレイ３６の原稿の給送方向（Ｙ軸方向）の下流側端部３６ｃには、原稿の給送方向上流側（−Ｙ方向側）から下流側（＋Ｙ方向側）に向かって原稿支持トレイ３６の厚みを薄くするテーパー３６ｎが形成されている。この構成によれば、給送方向下流側端部３６ｃがエッジである場合に比べて、原稿支持トレイ３６に支持された原稿を給送方向下流側（＋Ｙ方向側）に移動させる際、原稿の搬送負荷を低減、あるいは抑制でき、原稿の搬送性が向上する。
【０１２９】
原稿支持トレイ３６は透明、あるいは半透明の部材として形成されている。この構成によれば、原稿支持トレイ３６が引き出し位置にあり、排出経路５８の一部を覆っている状態でも、排出経路５８に排出された原稿を目視することができ、原稿の取り忘れを低減、あるいは防止できる。
【０１３０】
スキャナーユニット１４は、原稿を読み取る読取部４８と、開閉可能であり、閉じた状態で上面６４ａが装置上面６２ａを形成し、開いた状態で上面６４ａとは反対側の下面６４ｂが装置高さ方向上方側に向くカバー部６４と、カバー部６４とともに開閉可能であり、カバー部６４の下面６４ｂ側に配置され、カバー部６４が閉じることでカバー部６４の下側に位置する収納状態と、カバー部６４が開くことで読取部４８に送られる原稿を支持し得る原稿支持状態とを切り換え可能な原稿支持トレイ６６と、を備え、カバー部６４は、開いた状態において、第１位置と、第１位置から原稿支持トレイ６６に対して原稿の給送方向上流側（−Ｙ方向側）へ引き出された第２位置との間を変位可能である。
【０１３１】
上記構成によれば、カバー部６４は、開いた状態において、第１位置と、第１位置から原稿支持トレイ６６に対して原稿の給送方向上流側（−Ｙ方向側）へ引き出された第２位置との間を変位可能であるので、カバー部６４を第１位置から第２位置に引き出すことで、原稿の給送方向（Ｙ軸方向）において原稿等を支持する領域を拡張することができ、給送方向（Ｙ軸方向）における長さが長い原稿を適切に支持することができる。  
しかも、原稿支持トレイ６６はカバー部６４が閉じることでカバー部６４の下側に位置する収納状態を取りうるので、装置をコンパクトにすることができ、装置サイズの小型化を図ることができる。
【０１３２】
また、閉じた状態においてカバー部６４が押圧された際、カバー部６４のみで押圧力に対抗する場合に比べて、上記構成では、カバー部６４とともに原稿支持トレイ６６も押圧力に対抗するので、カバー部６４の変形を低減でき、カバー部６４の剛性感を得ることができる。
【０１３３】
カバー部６４及び原稿支持トレイ６６が開いた状態においてカバー部６４が第２位置に引き出されると、カバー部６４は、読取部４８によって読み取りが行われて排出される原稿の排出経路５８の少なくとも一部に対して装置高さ方向上方に位置して、排出経路５８の少なくとも一部を覆う。この構成によれば、排出経路５８の少なくとも一部及び排出経路５８において排出された原稿に埃等が堆積することを抑制できる。
【０１３４】
原稿支持トレイ６６には回動軸６６ａが設けられ、当該回動軸６６ａを支点としてカバー部６４及び原稿支持トレイ６６が回動する。この構成によれば、カバー部６４は原稿支持トレイ６６の回動軸に支持されることとなる。カバー部６４及び原稿支持トレイ６６が閉じた状態において、カバー部６４及び原稿支持トレイ６６は回動軸６６ａに支持されるので、閉じた状態のカバー部６４が押圧された際におけるカバー部６４の変形をより確実に低減することができ、カバー部６４の剛性感をより一層得ることができる。
【０１３５】
原稿支持トレイ６６における原稿の給送方向であるＹ軸方向と交差する方向である原稿幅方向であるＸ軸方向の両端部に位置規定部６６ｃが設けられ、カバー部６４は、原稿幅方向であるＸ軸方向における両端部周辺領域に形成され、原稿の給送方向であるＹ軸方向に沿って延びる被ガイド部６４ｃと、位置規定部６６ｃと当接することにより、カバー部６４の第２位置を規定する被位置規定部６４ｅとを備えている。カバー部６４を原稿支持トレイ６６に対して第１位置から第２位置に変位させると、被ガイド部６４ｃが回動軸６６ａに当接するとともに、位置規定部６６ｃに被位置規定部６４ｅが当接する。
【０１３６】
上記構成によれば、カバー部６４を原稿支持トレイ６６に対して第１位置から第２位置に変位させると、被ガイド部６４ｃが回動軸６６ａに当接するとともに、位置規定部６６ｃに被位置規定部６４ｅが当接するので、カバー部６４を原稿支持トレイ６６に対して変位させる際に回動軸６６ａに掛かる荷重の一部を位置規定部６６ｃに担わせることができ、回動軸６６ａに掛かる荷重を分散させることができる。これにより回動軸６６ａの損傷を低減、あるいは防止できる。
【０１３７】
原稿支持トレイ６６が回動可能に取り付けられたベースフレーム６８を備え、ベースフレーム６８には角度規定部６８ｃが設けられ、カバー部６４には、被角度規定部６４ｆが設けられ、角度規定部６８ｃは、カバー部６４が開いた状態において、カバー部６４の第１位置から第２位置までの範囲で被角度規定部６４ｆと当接可能に構成され、カバー部６４の姿勢を規定する。
【０１３８】
上記構成によれば、角度規定部６８ｃは、カバー部６４が開いた状態において、カバー部６４の第１位置から第２位置までの範囲で被角度規定部６４ｆと当接可能に構成され、カバー部６４の姿勢を規定するので、第１位置から第２位置までの間においてカバー部６４の姿勢を規定することができ、原稿を適切な姿勢で支持することができる。
【０１３９】
開閉可能であり、閉じた状態でカバー部２４、６４とともに装置上面１８ａ、６２ａの一部を形成し、開いた状態で読取部４８によって読み取りが行われて排出される原稿を受ける排出トレイ３０を備え、カバー部２４、６４及び排出トレイ３０が閉じた状態において原稿支持トレイ３６、６６は排出トレイ３０を支持している。
【０１４０】
上記構成によれば、カバー部２４、６４及び排出トレイ３０が閉じた状態において原稿支持トレイ３６、６６は排出トレイ３０を支持しているので、閉じた状態の排出トレイ３０が押圧された際、排出トレイ３０とともに原稿支持トレイ３６、６６が排出トレイ３０を押圧する力に対抗することができ、排出トレイ３０の変形を抑制、あるいは低減でき、排出トレイ３０の剛性感を得ることができる。
【０１４１】
閉じた状態の原稿支持トレイ３６、６６において排出トレイ３０側の下流側端部３６ｃには、排出トレイ３０側に向けて突出する突出部３６ｄ、支持部６６ｂが設けられ、カバー部２４、６４及び排出トレイ３０が閉じた状態において突出部３６ｄ、支持部６６ｂは、装置上面１８ａ、６２ａに沿った平面方向において排出トレイ３０の少なくとも一部とオーバーラップしている。
【０１４２】
ここで、閉じた状態のカバー部２４、６４と排出トレイ３０との繋ぎ目６０が押圧された場合、カバー部２４、６４と排出トレイ３０の両方が押圧する力により変形することがある。上記構成によれば、閉じた状態の原稿支持トレイ３６、６６において排出トレイ３０側の下流側端部３６ｃには、排出トレイ３０側に向けて突出する突出部３６ｄ、支持部６６ｂが設けられ、カバー部２４、６４及び排出トレイ３０が閉じた状態において突出部３６ｄ、支持部６６ｂは、装置上面１８ａ、６２ａに沿った平面方向において排出トレイ３０の少なくとも一部とオーバーラップしている。これにより、原稿支持トレイ３６、６６はカバー部２４、６４を支持するだけでなく、突出部３６ｄ、支持部６６ｂが、カバー部２４、６４と排出トレイ３０との繋ぎ目６０を支持することができる。これにより、閉じた状態のカバー部２４、６４と排出トレイ３０との繋ぎ目６０の変形を抑制、あるいは低減できる。さらに、カバー部２４、６４及び排出トレイ３０の剛性を簡素な構成で高めることができる。
【０１４３】
カバー部２４、６４及び原稿支持トレイ３６、６６は回動可能であり、カバー部２４、６４の下面２４ｂ、６４ｂあるいは原稿支持トレイ３６、６６において下面２４ｂ、６４ｂと対向する面３６ｊのいずれか一方の面には、カバー部２４、６４と原稿支持トレイ３６、６６との間に摩擦力を生じさせる突起２４ｊ、６４ｈが設けられている。
【０１４４】
上記構成によれば、突起２４ｊ、６４ｈはカバー部２４、６４と原稿支持トレイ３６、６６との間に摩擦力を生じさせるので、カバー部２４、６４及び原稿支持トレイ３６、６６が閉じた状態から開いた状態への回動時において原稿支持トレイ３６、６６が収納位置から飛び出すことを抑制できる。さらに、カバー部２４、６４及び原稿支持トレイ３６、６６が開いた状態において突起２４ｊ、６４ｈはカバー部２４、６４あるいは原稿支持トレイ３６、６６が引き出し位置に位置する際、引き出し位置から収納位置への変位を抑制できるので、カバー部２４、６４あるいは原稿支持トレイ３６、６６が引き出された状態を維持することができ、カバー部２４に対して原稿支持トレイ３６を適切な状態、あるいは原稿支持トレイ６６に対してカバー部６４を適切な状態とすることができる。
【０１４５】
原稿の給送方向であるＹ軸方向と交差する方向である原稿幅方向であるＸ軸方向における原稿支持トレイ３６、６６の長さはカバー部２４、６４の長さより短い。この構成によれば、原稿支持トレイ３６、６６を収納するカバー部２４、６４の原稿幅方向であるＸ軸方向におけるサイズの大型化を抑制でき、ひいては、装置をコンパクトにすることができる。加えて、カバー部２４、６４が閉じた状態において原稿支持トレイ３６、６６は、カバー部２４、６４に収納されているので、装置外部から収納状態の原稿支持トレイ３６、６６が見えないことから、装置の美観が向上する。
【０１４６】
給送前の原稿を支持する原稿サポート部３８と、原稿サポート部３８に支持された原稿を読取部４８に向けて送り出す給送ローラー４２と、を備え、装置上面１８ａ、６２ａは、カバー部２４、６４が閉じた状態におけるカバー部２４、６４の上面２４ａ、６４ａと、装置上面１８ａ、６２ａの外縁を形成するベースフレーム３４、６８と、読取部４８によって読み取りが行われて排出される原稿を受ける排出トレイ３０と、原稿サポート部３８より原稿の給送方向下流側（＋Ｙ方向側）に位置し、原稿搬送路４０の少なくとも一部を開閉する湾曲搬送路形成部材３２と、の少なくともこれらにより平坦な面として形成される。
【０１４７】
上記構成によれば、カバー部２４、６４と、ベースフレーム３４、６８と、排出トレイ３０と、湾曲搬送路形成部材３２とが、平坦な装置上面１８ａ、６２ａを形成するので、美観に優れるとともに装置上面１８ａ、６２ａに原稿等を載置した際の安定性が向上する。
【０１４８】
また、本実施形態では本発明に係るスキャナーユニット１４を記録装置の一例としてのインクジェットプリンターに適用したが、その他液体噴射装置一般に適用することも可能である。  
ここで、液体噴射装置とは、インクジェット式記録ヘッドが用いられ、該記録ヘッドからインクを吐出して被記録媒体に記録を行うプリンター、複写機及びファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含むものである。
【０１４９】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【０１５０】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【０１５１】
１０…プリンター、１２…装置本体、１４…スキャナーユニット、１６…スキャナー本体、１８、６２、７０…ＡＤＦ部、１８ａ、６２ａ…装置上面、２２…原稿載置面、２４、６４、７２…カバー部、２４ａ、３０ａ、３２ａ、３４ａ、６４ａ、６８ａ、上面、２４ｂ、６４ｂ…下面、２４ｃ、３０ｂ、３８ａ、６６ａ…回動軸、２４ｄ…係合部、２４ｅ…被角度規定部、２４ｆ…ガイド部、２４ｇ、３０ｃ…＋Ｙ方向側端部、２４ｈ、６４ｇ…リブ、２４ｊ、６４ｈ…突起、３０…排出トレイ、３０ｄ…突起部、３２…湾曲搬送路形成部材、３４、６８、７６…ベースフレーム、３４ｂ、６８ｃ…角度規定部、３６、６６、７４…原稿支持トレイ、３６ａ…被ガイド部、３６ｂ、６６ｆ…原稿支持面、３６ｃ…下流側端部、３６ｄ…突出部、３６ｅ…スリット、３６ｆ…凹部、３６ｈ…上流側端部、３６ｊ…面、３６ｋ…溝、３６ｍ…保持部、３６ｎ…テーパー、３８……原稿サポート部、３８ｂ、３８ｃ…受け部、３８ｄ…支持面、４０…原稿搬送路、４２…給送ローラー、４４…分離ローラー、４６…搬送ローラー対、４８…読取部、５０…排出ローラー対、５２…従動ローラー、５４…分離パッド、５６…画像読取機構、５８…排出経路、６０…繋ぎ目、６４ｃ、６４ｄ…被ガイド部、６４ｅ…被位置規定部、６４ｆ…被角度規定部、６６ｂ…支持部、６６ｃ…位置規定部、６６ｄ…ガイド、６６ｅ…スリット、６８ｂ…側面
【図１】
2019001629.tif 000003
【図２】
2019001629.tif 000004
【図３】
2019001629.tif 000005
【図４】
2019001629.tif 000006
【図５】
2019001629.tif 000007
【図６】
2019001629.tif 000008
【図７】
2019001629.tif 000009
【図８】
2019001629.tif 000010
【図９】
2019001629.tif 000011
【図１０】
2019001629.tif 000012
【図１１】
2019001629.tif 000013
【図１２】
2019001629.tif 000014
【図１３】
2019001629.tif 000015
【図１４】
2019001629.tif 000016
【図１５】
2019001629.tif 000017
【図１６】
2019001629.tif 000018
【図１７】
2019001629.tif 000019
【図１８】
2019001629.tif 000020
【図１９】
2019001629.tif 000021
【図２０】
2019001629.tif 000022
【図２１】
2019001629.tif 000023
【図２２】
2019001629.tif 000024
【図２３】
2019001629.tif 000025
【図２４】
2019001629.tif 000026
【図２５】
2019001629.tif 000027
【図２６】
2019001629.tif 000028
【図２７】
2019001629.tif 000029
【図２８】
2019001629.tif 000030